(57)【要約】      （修正有）【課題】発光装置の構造を簡単にして装置本体内の収納位置での発光装置の収納空間の省スペース化を実現する。【解決手段】装置本体に対して回動軸１８を介して回動可能に支持されるアーム部材と、アーム部材に対して回動軸１７を介して回動可能に支持されるアーム部材１４と、発光部を保持し、アーム部材１４に対して回動軸を介して回動可能に支持され、装置本体に収納される収納位置と装置本体から突出した発光位置との間を移動する可動部材３５と、発光位置と収納位置との間の中間位置でアーム部材に係合してアーム部材を保持し、収納位置で可動部材３５に係合して可動部材３５を保持するロック部材２７と、ロック部材２７を前記係合する方向に付勢する付勢部材とを備える。【選択図】図５
2018018000.tif 000002
【特許請求の範囲】
【請求項１】
撮像装置の装置本体に対して第１回動軸を介して回動可能に支持される第１アーム部材と、
前記第１アーム部材に対して第２回動軸を介して回動可能に支持される第２アーム部材と、
発光部を保持し、前記第２アーム部材に対して第３回動軸を介して回動可能に支持され、前記装置本体に収納される収納位置と前記装置本体から突出した発光位置との間を移動する可動部材と、
前記第１アーム部材、前記第２アーム部材および前記可動部材をそれぞれ前記発光位置の方向に付勢する付勢手段と、
前記発光位置と前記収納位置との間の中間位置で前記付勢手段の付勢力に抗して前記第１アーム部材に係合して前記第１アーム部材を保持し、前記収納位置で前記付勢手段の付勢力に抗して前記可動部材に係合して前記可動部材を保持するロック部材と、
前記ロック部材を前記第１アーム部材および前記可動部材に係合する方向に付勢する付勢部材と、を備え、
前記収納位置で前記ロック部材が前記可動部材に係合する位置は、前記中間位置で前記ロック部材が前記第１アーム部材に係合する位置の前記第１回動軸を中心とする回動軌跡の径方向内側に配置されていることを特徴とする発光装置。
【請求項２】
前記可動部材が前記中間位置から前記収納位置に移動する際に、前記可動部材は、前記ロック部材を押し込んで前記第１アーム部材との係合が解除される方向に移動させるとともに、前記第１アーム部材を前記収納位置へ押し込むことで、前記ロック部材を係合させることを特徴とする請求項１に記載の発光装置。
【請求項３】
前記可動部材を前記収納位置に移動させる際、前記第２アーム部材が前記装置本体に当接することで、前記第２アーム部材が前記収納位置の方向へ回動することを特徴とする請求項１又は２に記載の発光装置。
【請求項４】
前記中間位置では、前記第２アーム部材が前記装置本体に当接し、前記可動部材の前記発光部が前記装置本体の略上面側を向いて保持されていることを特徴とする請求項１乃至３のいずれか一項に記載の発光装置。
【請求項５】
発光装置を備える撮像装置であって、
前記発光装置として、請求項１乃至４のいずれか一項に記載の発光装置を備えることを特徴とする撮像装置。
【発明の詳細な説明】
【技術分野】
【０００１】
本発明は、例えばデジタルカメラ等の撮像装置に搭載されるポップアップ式の発光装置、及び当該発光装置を備える撮像装置に関する。
【背景技術】
【０００２】
デジタルカメラ等の撮像装置では、発光部を保持する可動部材を装置本体の内部の収納位置と装置本体から突出した発光位置との間で移動させる、所謂ポップアップ式のストロボユニットを備えるものがある。
【０００３】
ところで、このようなストロボユニットでは、レンズ鏡筒が比較的大径の小型のデジタルカメラ等の場合、レンズ鏡筒の先端部でストロボ光が遮られて被写体に届かなくなる、所謂ケラレを防止する必要がある。このため、発光部を保持する可動部材を装置本体の収納位置から発光位置に移動させる機構として、複数の回動軸により可動部材を装置本体からより高く被写体側へ位置させるアーム部材を用いたものが提案されている。
【０００４】
従来、発光部を保持する可動部材にアーム部材を回動可能に取り付け、アーム部材を撮像装置の装置本体に回動可能に取り付けたストロボユニットが提案されている（特許文献１）。この提案では、可動部材とアーム部材がバネ力により発光位置に付勢された状態で装置本体内に収納され、収納位置では、可動部材及びアーム部材は、可動部材及びアーム部材にそれぞれ係止する係止部材によりロックされている。そして、操作レバーでロックを解除することで、バネ力により可動部材が発光位置へと移動してポップアップする。
【先行技術文献】
【特許文献】
【０００５】
【特許文献１】特許第４４３４６５６号公報
【発明の概要】
【発明が解決しようとする課題】
【０００６】
しかし、上記特許文献１では、収納位置では、発光部を保持する可動部材及びアーム部材を２つの係止部材によってそれぞれ係止してロックするため、発光装置の構造が複雑になり、また、収納位置での発光装置のスペースが大きくなってしまう。また、近年の撮像装置の小型化や薄型化により、前述したケラレの更なる改善が要求され、発光部を保持する可動部材の発光位置への移動量（ポップアップ量）を増加させる必要がある。
【０００７】
そこで、本発明は、発光部を保持する可動部材の発光位置への移動量を増加させつつ、発光装置の構造を簡単にして撮像装置の装置本体内の収納位置での発光装置の収納空間の省スペース化を実現する技術を提供することを目的とする。
【課題を解決するための手段】
【０００８】
上記目的を達成するために、本発明の発光装置は、撮像装置の装置本体に対して第１回動軸を介して回動可能に支持される第１アーム部材と、前記第１アーム部材に対して第２回動軸を介して回動可能に支持される第２アーム部材と、発光部を保持し、前記第２アーム部材に対して第３回動軸を介して回動可能に支持され、前記装置本体に収納される収納位置と前記装置本体から突出した発光位置との間を移動する可動部材と、前記第１アーム部材、前記第２アーム部材および前記可動部材をそれぞれ前記発光位置の方向に付勢する付勢手段と、前記発光位置と前記収納位置との間の中間位置で前記付勢手段の付勢力に抗して前記第１アーム部材に係合して前記第１アーム部材を保持し、前記収納位置で前記付勢手段の付勢力に抗して前記可動部材に係合して前記可動部材を保持するロック部材と、前記ロック部材を前記第１アーム部材および前記可動部材に係合する方向に付勢する付勢部材と、を備え、前記収納位置で前記ロック部材が前記可動部材に係合する位置は、前記中間位置で前記ロック部材が前記第１アーム部材に係合する位置の前記第１回動軸を中心とする回動軌跡の径方向内側に配置されていることを特徴とする。
【発明の効果】
【０００９】
本発明によれば、発光部を保持する可動部材の発光位置への移動量を増加させつつ、発光装置の構造を簡単にして撮像装置の装置本体内の収納位置での発光装置の収納空間の省スペース化を実現することができる。
【図面の簡単な説明】
【００１０】
【図１】（ａ）は本発明の撮像装置の実施形態の一例であるデジタルカメラを正面側から見た斜視図、（ｂ）は（ａ）に示すデジタルカメラのストロボユニットを構成する可動部材が発光位置にポップアップした状態を示す斜視図である。
【図２】ストロボユニットが収納位置にあるときの発光部の位置での要部断面図である。
【図３】ストロボユニットの分解斜視図である。
【図４】（ａ）は下側アーム部材と下側アームカバーの斜視図、（ｂ）は下側アーム部材に下側アームカバーを組み付けた状態の斜視図である。
【図５】（ａ）は可動部材が発光位置と収納位置との間の中間位置にあるときのロック部材の位置での要部断面図、（ｂ）は可動部材が収納位置にあるときのロック部材の位置での要部断面図である。
【図６】（ａ）は可動部材が発光位置にあるときのデジタルカメラを正面側から見た図、（ｂ）は（ａ）のＡ−Ａ線断面図である。
【図７】可動部材が発光位置にあるときの図６（ａ）のＢ−Ｂ線断面図である。
【図８】可動部材が図５（ａ）に示す中間位置から図５（ｂ）に示す収納位置に移動する際の動作を説明する要部断面図である。
【発明を実施するための形態】
【００１１】
以下、図面を参照して、本発明の実施形態の一例を説明する。
【００１２】
図１（ａ）は本発明の撮像装置の実施形態の一例であるデジタルカメラを正面側（被写体側）から見た斜視図、図１（ｂ）は図１（ａ）に示すデジタルカメラのストロボユニットを構成する可動部材が発光位置にポップアップした状態を示す斜視図である。
【００１３】
本実施形態のデジタルカメラは、図１に示すように、カメラ本体１の正面側にレンズ鏡筒２が設けられ、カメラ本体１の上面部には、レリーズボタン３及びストロボユニット４等が設けられている。また、カメラ本体１の側面部には、ロック解除レバー１０が設けられている。カメラ本体１は、本発明の装置本体の一例に相当し、ストロボユニット４は、本発明の発光装置の一例に相当する。
【００１４】
ストロボユニット４は、発光部５を保持する可動部材３５を備えており、可動部材３５は、収納位置（図１（ａ））と発光位置（図１（ｂ））との間を移動可能に設けられている。収納位置では、可動部材３５は、後述するトーションばね１９〜２１（図３参照）の付勢力により発光位置に向けて付勢された状態でロック部材２７（図３参照）によりロックされ、その上面部がカメラ本体１の上面部と略面一に配置されている。この状態で、ロック解除レバー１０を操作すると、ロック部材２７によるロックが解除され、可動部材３５がトーションばね１９〜２１の付勢力により発光位置に向けて移動して図１（ｂ）に示す状態となる。
【００１５】
次に、図２乃至図８を参照して、ストロボユニット４について詳細に説明する。図２は、可動部材３５が収納位置にあるときの発光部５の位置での要部断面図である。図３は、ストロボユニット４の分解斜視図である。図４（ａ）は下側アーム部材１５と下側アームカバー２６の斜視図、図４（ｂ）は下側アーム部材１５に下側アームカバー２６を組み付けた状態の斜視図である。
【００１６】
図２に示すように、発光部５は、キセノン管１１、フレネルレンズ１２、及びリフレクター１３により構成され、上面カバー６と下面カバー７とで覆われて可動部材３５の内部に保持されている。
【００１７】
キセノン管１１は、キセノンガスを封入したガラス管の両側に電極を有する。フレネルレンズ１２は、キセノン管１１の放電光をカメラの撮影画角内に集光させるためのレンズである。リフレクター１３は、キセノン管１１の放電光を被写体側に反射させて効率的に撮影画角内に照射する。
【００１８】
リフレクター１３は、キセノン管１１に接触させて組込まれており、キセノン管１１の放電を開始するトリガー電極としての役割も有している。リフレクター１３は、不図示のトリガーコイルに接続されており、キセノン管１１の両極に電圧がかけられた状態でトリガーコイルに高電圧が印加されることでキセノン管１１の内部のキセノンガスがイオン化して発光する。
【００１９】
図２及び図３に示すように、上側アーム部材１４は、可動部材３５側に軸受部１４ａが設けられるとともに、下側アーム部材１５側に軸受部１４ｂが設けられている。上側アーム部材１４は、軸受部１４ａと可動部材３５の下面カバー７に設けられた軸受部７ａに挿入された回動軸１６を介して可動部材３５に対して回動可能に支持されている。
【００２０】
回動軸１６には、トーションばね１９のコイル部が外挿されている。トーションばね１９は、コイル部の一方の端部が下面カバー７に当接し、他方の端部が上側アーム部材１４に当接して、可動部材３５を上側アーム部材１４に対する角度が広がる方向に付勢する。
【００２１】
つまり、トーションばね１９は、発光部５のキセノン管１１の中心と回動軸１６とを結ぶ線Ｌ１と、回動軸１６と後述する回動軸１７とを結ぶ線Ｌ２とのなす角度が広がる方向、即ち可動部材３５を発光位置の方向に向けて付勢する（図２参照）。回動軸１６は、本発明の第３回動軸の一例に相当する。
【００２２】
下側アーム部材１５は、上側アーム部材１４側に軸受部１５ａが設けられるとともに、後述するベース部材３０側に軸受部１５ｂが設けられている。下側アーム部材１５は、軸受部１５ａと上側アーム部材１４の軸受部１４ｂに挿入された回動軸１７を介して上側アーム部材１４に対して回動可能に連結されている。また、下側アーム部材１５は、軸受部１５ｂとカメラ本体１に設けられたベース部材３０の軸受部３０ａに挿入された回動軸１８を介してベース部材３０に対して回動可能に支持されている。
【００２３】
回動軸１７，１８には、それぞれトーションばね２０，２１が外挿されている。トーションばね２０は、上側アーム部材１４と下側アーム部材１５との角度が広がる方向（図２の回動軸１７と回動軸１８とを結ぶ線Ｌ３と線Ｌ２の角度が広がる方向）に上側アーム部材１４を付勢する。トーションばね２１は、ベース部材３０に対して下側アーム部材１５の角度が広がる方向（図２の回動軸１８を中心として線Ｌ３が時計回りに回動する方向）を紙面時計周りへ動く方向）に下側アーム部材１５を付勢する。回動軸１７は、本発明の第２回動軸の一例に相当し、回動軸１８は、本発明の第３回動軸の一例に相当する。また、下側アーム部材１５は、本発明の第１アーム部材の一例に相当し、上側アーム部材１４は、本発明の第２アーム部材の一例に相当する。
【００２４】
図２において、フレキシブル基板２２には、発光部５のトリガーコイルやキセノン管１１の両極などと接続される信号ラインが形成される。回路基板２３には、ストロボ発光するための昇圧部品やコネクタ２４等が実装され、コネクタ２４には、フレキシブル基板２２が電気的に接続される。これにより、発光部５と回路基板２３とがフレキシブル基板２２を介して電気的に接続される。また、回路基板２３は、不図示のフレキシブル基板にも接続され、撮影やストロボ発光等を制御するカメラ本体１の制御基板（不図示）に接続されている。
【００２５】
フレキシブル基板２２は、上側アームカバー２５と下側アームカバー２６とで保護される。上側アームカバー２５と下側アームカバー２６は、それぞれ上側アーム部材１４と下側アーム部材１５に対向して配置されて、フレキシブル基板２２の通路を形成している。下側アームカバー２６は、図４（ａ）及び図４（ｂ）に示すように、下側アーム部材１５にビス３６にて固定されて一体化されている。
【００２６】
発光部５に接続されたフレキシブル基板２２は、回動軸１６に外挿されたトーションばね１９の外側を通り、上側アーム部材１４と上側アームカバー２５との間を通って回動軸１７に外挿されたトーションばね２０の外側を通る。その後、フレキシブル基板２２は、下側アーム部材１５と下側アームカバー２６の間を通って後述する回動軸２８とロック部材２７の外側を通り、ベース部材３０のスリット部を通って、回路基板２３に実装されたコネクタ２４に接続される。
【００２７】
図５（ａ）は可動部材３５が発光位置と収納位置との間の中間位置にあるときのロック部材２７の位置での要部断面図、図５（ｂ）は可動部材３５が収納位置にあるときのロック部材２７の位置での要部断面図である。
【００２８】
図５に示すように、ロック部材２７は、可動部材３５の収納状態を保持するための部材であり、一対のフック部２７ａ（図３参照）を有する。ロック部材２７は、ベース部材３０に取り付けられた回動軸２８を介して回動可能に支持されている。
【００２９】
そして、ロック部材２７は、図５（ｂ）に示す可動部材３５の収納状態では、フック部２７ａが下面カバー７のフック受け部７ｂに係合する。また、図５（ａ）に示す可動部材３５が収納位置と発光位置との間の中間位置にある状態では、フック部２７ａが下側アームカバー２６のフック受け部２６ａに係合する。なお、本実施形態では、フック受け部２６ａを下側アームカバー２６に設けているが、下側アーム部材１５にフック受け部を設け、下側アーム部材１５にロック部材２７のフック部２７ａを直接係合させてもよい。
【００３０】
次に、図３及び図５を参照して、可動部材３５が収納位置から発光位置に移動するときのストロボユニット４の動作について説明する。
【００３１】
図３及び図５に示すように、ロック部材２７の回動軸２８は、トーションばね２９により、ロック部材２７のフック部２７ａを下面カバー７のフック受け部７ｂ及び下側アームカバー２６のフック受け部２６ａに係合する方向に付勢する。また、コイルばね３１は、ロック解除レバー１０をベース部材３０の後側（カメラ本体１の背面側）に付勢する。ロック解除レバー１０は、ベース部材３０に前後方向にスライド可能に取り付けられており、後側に付勢された状態では、前述したように、可動部材３５は、図５（ｂ）に示す収納位置でロックされている。トーションばね２９は、本発明の付勢部材の一例に相当する。
【００３２】
そして、この状態でロック解除レバー１０を前側にスライド操作すると、ロック部材２７ｂにロック解除レバー１０の一部が当接してロック部材２７が回動する。これにより、ロック部材２７のフック部２７ａと下面カバー７のフック受け部７ｂの係合が解除され、可動部材３５がトーションばね１９〜２１の付勢力によって発光位置へとポップアップする。
【００３３】
図６（ａ）は可動部材３５が発光位置にあるときのデジタルカメラを正面側から見た図、図６（ｂ）は図６（ａ）のＡ−Ａ線断面図である。図６（ｂ）は、可動部材３５がロック解除レバー１０の操作によりロック解除されて、発光位置に移動してポップアップした状態を示している。このとき、トーションばね２１，２０，１９の付勢力により、それぞれ下側アーム部材１５は矢印Ｃ１の方向に、上側アーム部材１４は矢印Ｃ２の方向に、可動部材３５は矢印Ｃ３の方向に所定角度まで回動し、発光位置にポップアップする。
【００３４】
発光位置においては、下側アーム部材１５は、軸受部１５ｂ近傍に設けた凸部１５ｃがベース部材３０の受け部３０ｂに当接することで、所定角度で停止する。また、上側アーム部材１４は、軸受部１４ｂの近傍に設けた凸部１４ｃが下側アームカバー２６に当接することで、回動が停止する。下側アームカバー２６は、下側アーム部材１５に位置決め固定されているため、上側アーム部材１４と下側アーム部材１５は、所定の開き角度で停止することが可能となる。さらに、上側アーム部材１４の軸受部１４ａ近傍に設けた凸部１４ｄが下面カバー７の当接部７ｃに当接することで、所定角度で停止し、これにより、可動部材３５が発光位置で停止することができる。
【００３５】
図５（ｂ）において、下側アームカバー２６に設けられたフック受け部２６ａ先端部は、可動部材３５の収納動作、及びポップアップ動作の際に、回動軸１８を中心とした回動軌跡Ｒを辿る。本実施形態では、フック受け部２６ａは、回動軌跡Ｒの径方向外側に配置され、下側アーム部材１５、上側アーム部材１４及び可動部材３５の回動時に回動軸１８の中心側へ入ってこないようになっている。
【００３６】
また、可動部材３５が収納位置にあるとき、前述したように、ロック部材２７のフック部２７ａは、下面カバー７のフック受け部７ｂに係合している。このとき、この係合位置は、フック受け部２６ａの先端部の回動軌跡Ｒの径方向内側（回動軸１８の中心側）に配置され、ロック部材２７の回動時にフック受け部２６ａと干渉しない位置になっている。そのため、ロック部材２７が解除方向へ回動し、フック部２７ａと下面カバー７のフック受け部７ｂとの係合が外れた瞬間、ロック部材２７は、フック受け部２６ａに対してより離間する側に位置する。このため、下側アーム部材１５がトーションばね２１の付勢力により回動軸１８を介して回動する際にロック部材２７に干渉することがない。
【００３７】
次に、図５（ａ）及び図７を参照して、可動部材３５の発光位置から発光位置と収納位置との間の中間位置への動作について説明する。図７は、可動部材３５が発光位置にあるときの図６（ａ）のＢ−Ｂ線断面図である。
【００３８】
図７において、ユーザが可動部材３５を押し込んでカメラ本体１の内部に収納しようとすると、回動軸１８を中心に下側アーム部材１５が図６（ｂ）のＣ１と反対方向に回転する。その後、下側アームカバー２６のフック受け部２６ａがロック部材２７を解除方向へ押し込んでフック受け部２６ａにロック部材２７のフック部２７ａが係合し、図５（ａ）に示す状態、即ち可動部材３５が発光位置と収納位置との間の中間位置に配置される。この状態では、可動部材３５をさらにカメラ本体１内へ収納しようとしてユーザが指を滑らした場合等でも、ロック部材２７のフック部２７ａが下側アームカバー２６のフック受け部２６ａに係合しているため、収納動作を継続することが可能となる。
【００３９】
また、上側アーム部材１４の凸部１４ｃがベース部材３０の受け部３０ｂに当接することで、上側アーム部材１４の回動が規制される。そして、可動部材３５は、発光位置にあるときと同様に、トーションばね１９の付勢力により、上側アーム部材１４の凸部１４ｄが下面カバー７の当接部７ｃと当接して所定の開き角度で停止した状態となっている。そのため、発光部５が略上面側を向き、ストロボ発光時の照射光が天井等で反射することで、被写体のみではなく、被写体後方などの全体的に照射される、いわゆるバウンス撮影に好適な向きで保持されている。
【００４０】
次に、図５及び図８を参照して、可動部材３５の中間位置から収納位置への動作について説明する。図８（ａ）及び図８（ｂ）は、可動部材３５が図５（ａ）に示す中間位置から図５（ｂ）に示す収納位置に移動する際の動作を説明する要部断面図である。
【００４１】
可動部材３５が図５（ａ）に示す中間位置からさらに収納動作を進めると、上側アーム部材１４は、凸部１４ｃがベース部材３０の受け部３０ｂと当接しているため、回動軸１７を中心に収納方向（図６（ｂ）の矢印Ｃ２の反対方向）へ回動する。そして、図８（ａ）に示すように、下面カバー７が下側アームカバー２６のフック受け部２６ａに係合しているロック部材２７を解除方向へ押してフック部２７ａとフック受け部２６ａとの係合を解除し、図８（ｂ）に示す状態となる。ロック部材２７によるロックが解除された下側アーム部材１５は、トーションばね２１の付勢力により上方へ回動し、収納動作中の下面カバー７に突き当たる。
【００４２】
そして、可動部材３５を収納位置に向けてさらに押し下げると、下面カバー７に当接している下側アームカバー２６が押し下げられ、下側アームカバー２６と一体化されている下側アーム部材１５も同様に押し下げられる。そして、ロック部材２７のフック部２７ａが下面カバー７のフック受け部７ｂに係合し、図５（ｂ）に示す状態となる。
【００４３】
このとき、ロック部材２７は、下面カバー７により下側アームカバー２６のフック受け部２６ａの先端部の回動軌跡Ｒの中心側で、下側アームカバー２６の回動時にフック受け部２６ａと干渉しない位置に移動させられている。このため、再度下側アームカバー２６にロック部材２７が係合することなく、下面カバー７を収納位置に移動させることが可能となっている。
【００４４】
以上説明したように、本実施形態では、２つのアーム部材１４，１５により発光部５を保持する可動部材３５を収納位置と発光位置との間で移動させている。このため、可動部材３５の発光位置への移動量（ポップアップ量）を増加させることができる。また、本実施形態では、可動部材３５及び下側アーム部材１５を１つのロック部材２７によりロックしているため、ストロボユニット４の構造が簡単になる。これにより、可動部材３５の発光位置への移動量を増加させつつ、ストロボユニット４の構造を簡単して収納位置でのストロボユニット４の収納空間の省スペース化を実現することができる。
【００４５】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４６】
１  カメラ本体
２  レンズ鏡筒
４  ストロボユニット
５  発光部
１４  上側アーム部材
１５  下側アーム部材
１６〜１８  回動軸
１９〜２１  トーションばね
３５  可動部材
【図１】
2018018000.tif 000003
【図２】
2018018000.tif 000004
【図３】
2018018000.tif 000005
【図４】
2018018000.tif 000006
【図５】
2018018000.tif 000007
【図６】
2018018000.tif 000008
【図７】
2018018000.tif 000009
【図８】
2018018000.tif 000010